(57)【要約】      （修正有）【課題】雑誌ページの切り取りや用紙・書類の不要部分の切り取り等、紙をきれいに取ることができる定規を提供する。【解決手段】定規１の長手方向の一方の側端面１ａにおいて、定規１の下面から直ちに当該下面に対して鋭角の斜め方向に立ち上げる。鋭角の斜め方向に立ち上がっている側において、定規１の上面１ｅに切り始めの位置を示す印２が付してあり、この印２を始点とするカッティングガイドの矢印３が、定規１の上面１ｅに付してある。切りたい部分に定規１を当てて切り始めの位置を切り始めの位置を示す印２に合わせ、手指で定規１を押えながら紙を引っ張り上げる。定規１の下面と当該下面から直ちに鋭角に立ち上がっている側端面１ａとの交点部分である尖端で、簡単かつきれいに紙を切ることができる。【選択図】図４
0003185467.tif 000002
【実用新案登録請求の範囲】
【請求項１】
定規の長手方向の一方の側端面において、定規の下面から直ちに当該下面に対して鋭角の斜め方向に立ち上げることを特徴とする定規。
【請求項２】
鋭角の斜め方向に立ち上がっている側において、定規の上面に切り始めの位置を示す印が付してあることを特徴とする請求項１記載の定規。
【請求項３】
切り始めの位置を示す印を始点とするカッティングガイドの矢印が、定規の上面に付してあることを特徴とする請求項２記載の定規。
【請求項４】
定規の長手方向の一端の寸法表示が、０目盛から始まっていることを特徴とする請求項１〜３のいずれかに記載の定規。
【請求項５】
定規の下面と鋭角に立ち上がっている側端面との交点部分である尖端を、わずかに丸くしてあることを特徴とする請求項１記載の定規。
【請求項６】
光沢のある質感を有するように、定規を塗装することを特徴とする請求項１〜５のいずれかに記載の定規。
【考案の詳細な説明】
【技術分野】
【０００１】
本考案は、雑誌ページの切り取りや用紙・書類の不要部分の切り取り等、紙をきれいに切ることができる定規に関するものである。
【背景技術】
【０００２】
雑誌ページの切り取りや用紙・書類の不要部分の切り取り等、紙を切るのに用いることができる定規として、従来、定規の中央部を浮上させて両側端部が紙等の被切断物に接触するように彎曲させ、一方の側端部にカッタを沿わせながらスライドさせることができるようにしたもの（例えば、特許文献１）や、定規に長手方向の溝を設け、この溝に沿ってスライドさせ得るカッタを配置したもの（例えば、特許文献２）などが提案されている。
【先行技術文献】
【特許文献】
【０００３】
【特許文献１】実願昭６３−０２２１８０号（実開平０１−１２５１９７号）の  マイクロフィルム（実用新案登録請求の範囲、図２）
【０００４】
【特許文献２】実願昭６３−１５０３８１号（実開平０２−０７０９９３号）の  マイクロフィルム（実用新案登録請求の範囲、図２、図３）
【考案の概要】
【考案が解決しようとする課題】
【０００５】
これらは、いずれもカッタによって紙を切る形式のものであって、定規そのもので紙を切るというものではない。
【０００６】
ところで、従来から存在する定規そのもので紙を切ろうとしても、きれいに切ることはできない。なぜならば、通常の定規は、図５に示すように、定規１’の長手方向の一方の側端面１ａ’が下面１ｂ’からそのまま直角に立ち上がり、さらにその途中から鋭角の斜め方向に立ち上がる形状をしており、定規１’を当てて紙を切る際に直角に立ち上がっている前記の部分１ｄ’での紙の引き千切りがうまく行われないからである。
本考案は、この欠点を解消することを目的とするものである。
【課題を解決するための手段】
【０００７】
上記目的を達成するために、本考案では、定規の長手方向の一方の側端面において、定規の下面から直ちに当該下面に対して鋭角の斜め方向に立ち上げる。定規の長手方向の一方の側端面をこのような形状にしたから、切りたい部分にこの定規を当てて手指で定規を押えながら紙を引っ張り上げるだけで、定規の下面と当該下面から直ちに鋭角に立ち上がっている側端面との交点部分である尖端で、簡単かつきれいに紙を切ることができる。
【０００８】
鋭角の斜め方向に立ち上がっている側において、定規の上面に切り始めの位置を示す印が付してあることが好ましい。このようにした場合には、切りたい部分に定規を当てて切り始めの位置を切り始めの位置を示す印に合わせ、手指で定規を押えながら紙をめくっていくだけで、紙を切ることができるので、切り始めの位置が狂うこともない。
【０００９】
切り始めの位置を示す印を始点とするカッティングガイドの矢印が、定規の上面に付してあることが好ましい。このようにした場合には、紙を引っ張る方向が一目でわかるのみならず、手指で定規を押えながらカッティングガイドの矢印方向に勢い良く引っ張るだけで、切る位置が狂うことなく紙を切ることができる。
【００１０】
定規の長手方向の一端の寸法表示が、０目盛から始まっていることが好ましい。このようにした場合には、定規の長手方向の一端である端から測ることができるのみならず、物の高さを測るのにも便利である。
【００１１】
定規の下面と鋭角に立ち上がっている側端面との交点部分である尖端を、わずかに丸くしてあることが好ましい。このような特殊加工が施されていると、前記尖端で手指を切ることがなく、使用する上で安全である。
【００１２】
光沢のある質感を有するように、定規を塗装することが好ましい。このようにした場合には、定規がどのような材質の場合でも、光沢のある質感を有するものとすることができるので、高級感を醸し出すことができる。
【考案の効果】
【００１３】
請求項１記載の考案によれば、定規の長手方向の一方の側端面において、定規の下面から直ちに当該下面に対して鋭角の斜め方向に立ち上げたから、切りたい部分にこの定規を当てて手指で定規を押えながら紙を引っ張り上げるだけで、定規の下面と当該下面から直ちに鋭角に立ち上がっている側端面との交点部分である尖端で、簡単かつきれいに紙を切ることができる。
【００１４】
請求項２記載の考案によれば、切りたい部分に定規を当てて切り始めの位置を切り始めの位置を示す印に合わせ、手指で定規を押えながら紙をめくっていくだけで、紙を切ることができるので、切り始めの位置が狂うこともない。
【００１５】
請求項３記載の考案によれば、紙を引っ張る方向が一目でわかるのみならず、手指で定規を押えながらカッティングガイドの矢印方向に勢い良く引っ張るだけで、切る位置が狂うことなく紙を切ることができる。
【００１６】
請求項４記載の考案によれば、定規の長手方向の一端である端から測ることができるのみならず、物の高さを測るのにも便利である。
【００１７】
請求項５記載の考案によれば、定規の下面と鋭角に立ち上がっている側端面との交点部分である尖端で手指を切ることがなく、使用する上で安全である。
【００１８】
請求項６記載の考案によれば、定規がどのような材質の場合でも、光沢のある質感を有するものとすることができるので、高級感を醸し出すことができる。
【図面の簡単な説明】
【００１９】
【図１】本考案による定規の一例を示す平面図である。
【図２】本考案による定規の拡大端面図である。
【図３】本考案による定規を用いて紙を切る様子を示す概略図である。
【図４】本考案による定規を用いて紙を切る様子をさらに詳しく示す拡大図である。
【図５】従来の定規の拡大端面図である。
【考案を実施するための形態】
【００２０】
本考案による定規の一例を図１〜図４に基づいて詳細に説明する。図面及び以下の説明では、３０ｃｍ定規に本考案を適用した場合のみを示し、１５ｃｍ定規その他の長さの定規に本考案を適用した場合については、一部の説明を除いて図示及び詳細な説明を省略する。
【００２１】
図２に示すように、定規１の長手方向の一方の側端面１ａにおいて、定規１の下面１ｂから直ちに当該下面１ｂに対して鋭角の斜め方向に立ち上げる。定規１の下面１ｂから直ちに当該下面１ｂに対して鋭角の斜め方向に立ち上げたから、図３に示すように、切りたい部分にこの定規１を当てて手指で定規１を押えながら紙Ａを引っ張り上げるだけで、定規１の下面１ｂと当該下面１ｂから直ちに鋭角に立ち上がっている側端面１ａとの交点部分である尖端１ｄ（図２参照）で、簡単かつきれいに紙Ａを切ることができる。
【００２２】
定規１の下面１ｂに対して鋭角の斜め方向の角度βとして、任意の角度に設定することができるが、図２ではこの角度を４５度とした場合を示してある。角度βを４５度以下にすると、より簡単かつきれいに紙Ａを切ることができる。なお、同図に示すように、定規１の長手方向の他方の側端面１ｃは、定規１の下面１ｂから直角に立ち上げてある。
【００２３】
ここには、鋭角の斜め方向に立ち上がっている側１ａにおいて、定規１の上面１ｅの３０ｃｍに相当する位置に、切り始めの位置を示す印２が付した場合が例示されている。このようにした場合には、図４に示すように、切りたい部分に定規１を当てて切り始めの位置を切り始めの位置を示す印２に合わせ、手指で定規１を押えながら紙Ａをめくっていくだけで、紙Ａを切ることができるので、切り始めの位置が狂うこともない。
【００２４】
また、ここには、切り始めの位置を示す印２を始点とするカッティングガイドの矢印３が、定規１の上面１ｅに付してある場合が例示されている。このようにした場合には、紙Ａを引っ張る方向が一目でわかるのみならず、手指で定規１を押えながらカッティングガイドの矢印３方向に勢い良く引っ張るだけで、切る位置が狂うことなく紙Ａを切ることができる。
【００２５】
また、ここには、定規１の長手方向の一端１ｆの寸法表示が、０目盛から始まっている場合が例示されている。このようにした場合には、定規１の長手方向の一端１ｆである端から測ることができるのみならず、物の高さを測るのにも便利である。
【００２６】
さらに、ここには、定規１の下面１ｂと鋭角に立ち上がっている側端面１ａとの交点部分である尖端１ｄを、図２に示すようにわずかに丸くした場合が例示されている。このような特殊加工が施されていると、前記尖端１ｄで手指を切ることがなく、使用する上で安全である。ただし、前記尖端をあまり大きなアールにすると、この部分での紙の引き千切りが適切に行われなくなるから好ましくない。
【００２７】
光沢のある質感を有するように、定規１を塗装すると良い。このようにした場合には、定規１がどのような材質の場合でも、光沢のある質感を有するものとすることができるので、高級感を醸し出すことができる。塗装する部分としては、定規１のうち面積の大きな上面１ｅと下面１ｂを少なくとも塗装すべきであろうが、これら以外の長手方向の両側端面１ａ、１ｃを含む定規１全体を全て塗装するのが最も好ましい。
【００２８】
ここでは、３０ｃｍ定規に本考案を適用した場合について説明したが、当然のことながら１５ｃｍ定規その他の長さの定規にも本考案を適用できる。また、定規１の材質については、合成樹脂製あるいはアルミニウム製等様々な材質を選択できる。
【００２９】
定規１の材質をアルミニウム製とした場合には、それ自体で多少光沢のある質感を有するものとすることができるが、さらにその上に前記の塗装を施すと良い。この塗装をする方が、光沢のある質感を有するものとすることができる。定規１の材質をアルミニウム製とした場合には、合成樹脂製のものより丈夫なものとなる。また、３０ｃｍ定規やそれより長尺の定規の材質をアルミニウム製とすれば、長い定規でも他の金属製と比べて軽くなる。
【００３０】
なお、１５ｃｍ定規の場合には、切り始めの位置を示す印２は、１５ｃｍに相当する位置に付すと良い。図１の場合には、１０ｃｍと２０ｃｍの目盛が現われていないので同図には示されていないが、両目盛に相当する位置にも３０ｃｍに相当する位置に付した印２と同じ印を付しておくと良い。また、１５ｃｍ定規の場合には、１５ｃｍに相当する位置に付した前記印２を１０ｃｍに相当する位置にも付しておくと良い。
【産業上の利用可能性】
【００３１】
本考案は、１５ｃｍ定規のほか３０ｃｍ定規やそれより長尺の定規に広く適用することが
できる。
【符号の説明】
【００３２】
１…定規、１ａ…一方の側端面、１ｂ…下面、１ｄ…尖端、１ｅ…上面、１ｆ…定規の長手方向の一端、２…切り始めの位置を示す印、３…カッティングガイドの矢印、Ａ…紙。
【図２】
0003185467.tif 000003
【図５】
0003185467.tif 000004
【図１】
0003185467.tif 000005
【図３】
0003185467.tif 000006
【図４】
0003185467.tif 000007